【手続補正書】
【提出日】平成16年7月30日(2004.7.30)
【手続補正１】
【補正対象書類名】明細書
【補正対象項目名】全文
【補正方法】変更
【補正の内容】
【書類名】明細書
【発明の名称】情報伝達用シートの形成設備
【特許請求の範囲】
【請求項１】予め重ね合わせ面の少なくとも一方の面に接着剤層を有するシートの、前記重ね合わせ面に親展または非親展情報を書き込む情報書き込み手段と、  情報の書き込みがなされた前記シートを折り畳む折り畳み手段と、
その折り畳みシートの前記重ね合わせ面を再剥離可能に接着する接着手段と、  が順に装備されたことを特徴とする情報伝達用シートの形成設備。
【請求項２】予め重ね合わせ面の少なくとも一方の面に接着剤層を有するシートを折り畳む折り畳み手段と、
前記重ね合わせ面に親展または非親展情報を書き込む情報書き込み手段と、
その折り畳みシートの前記重ね合わせ面を再剥離可能に接着する接着手段と、  が順に装備されたことを特徴とする情報伝達用シートの形成設備。
【請求項３】前記情報の書き込みは、感熱記録、感圧記録、インクジェット記録および電子写真記録の方式群から選択された請求項１または２記載の情報伝達用シートの形成設備。
【請求項４】予め重ね合わせ面の少なくとも一方の面に接着剤層を有し、かつ、重ね合わせ面の少なくとも一方の面に物理的外力により発色する発色材料を含有するシートを折り畳む折り畳み手段と、
その折り畳みシートの前記重ね合わせ面を再剥離可能に接着する接着手段と、  重ね合わせ面に対して前記物理的外力を与えて前記発色材料を発色させることにより親展または非親展情報を書き込む情報書き込み手段と、
が順に装備されたことを特徴とする情報伝達用シートの形成設備。
【請求項５】前記シートは連続シートであって、これを枚葉シートに分離して下流の工程に導く、あるいは連続シートのまま導かれたものを接着する前記接着手段の下流側に、連続シートを個別単位シートに分離する分離手段を有する請求項１〜４のいずれか１項記載の情報伝達用シートの形成設備。
【請求項６】前記折り畳み手段は、折り畳んだとき、重ね合わせ余白部を有し、この余白部に、非親展情報および情報伝達の宛先のうち少なくとも一方が前記情報書き込み手段により書き込まれるように構成された請求項１〜５のいずれか１項記載の情報伝達用シートの形成設備。
【請求項７】前記シートは、予め重ね合わせ面の少なくとも一方の面に常態では実質的に接着せず、圧を加えると接着する感圧接着剤層を有し、前記接着手段は、折り畳みシートに前記圧を加えて圧着することにより接着するものである請求項１〜６のいずれか１項記載の情報伝達用シートの形成設備。
【請求項８】前記各手段は、順に一つの設備として装備されたものである情報伝達用シートの形成設備。
【発明の詳細な説明】
【０００１】
【発明の属する技術分野】
本発明は、親展情報などを伝達するための情報伝達用シートの形成設備に関する。
【０００２】
【従来の技術】
近年は、通信、郵送などの連絡手段により情報を伝達する量が多くなる一方で、個人情報など親展性を必要とする連絡手段が重要視されている。
【０００３】
この観点からの郵便法の改正に伴い、親展性を有する葉書システムが実用化され、普及している。親展性を有する葉書システムとは、個人情報などの各種情報が折り畳み内面に記録された往復葉書状の葉書を折り畳み、重ね合わせた部分を疑似接着して、情報を隠蔽したのち、郵送し、受取人が疑似接着部分を剥離して隠蔽情報を読み取るというものである。これら親展性を必要とする連絡態様には、例えば会社が従業員に、銀行やクレジット会社が顧客に親展性を有する情報を連絡するものもある。
【０００４】
かかる親展性を有する連絡手法として、疑似接着性プリント用シートを用いたものが提案され盛んに利用されている。このプリント用シートは、基材の少なくとも片面の一部に、天然ゴム、合成ゴムなどのいわゆる感圧接着剤と、その接着剤の接着力を抑制する微細粒子とを主体とする、通常の状態では接着せず所定の条件、たとえば圧を加えて接着するいわゆる疑似接着剤の層が設けられており、必要時に剥離（再剥離）できる機能を有するものである。
【０００５】
【発明が解決しようとする課題】
前記の情報を記録する疑似接着性プリント用シートは、多量の情報を高速で記録するためにインクジェット記録、電子写真記録などの方法によって記録が行われる。
【０００６】
この場合、通常は、予め連続シートが用意され、これをフォーム加工して後に、所定の情報が記録された後、情報記録面を隠蔽するために折り畳み、重ね合わせ、葉書としての所定の長さまたは形状の単位シートにカットされて郵送に供される。
【０００７】
一方、近年はファクシミリやコンピュータの普及は多くの職場および家庭において目ざましいものがある。したがって、この種の機器を利用して、郵送によるのではなく通信によって情報伝達が行われることが、その迅速性の観点から望まれるところである。
【０００８】
しかし、ファクシミリやコンピュータに付属するプリンターからの出力シートに書き込まれた情報には、親展性がないのが欠点である。
【０００９】
したがって、本発明の主たる課題は、主に前述の情報伝達機器を利用しながら、出力状態においては親展性を示すシートを得ることにある。
【００１０】
【課題を解決するための手段】
上記課題を解決した本発明の請求項１記載の発明は、予め重ね合わせ面の少なくとも一方の面に接着剤層を有するシートの、前記重ね合わせ面に親展または非親展情報を書き込む情報書き込み手段と、
情報の書き込みがなされた前記シートを折り畳む折り畳み手段と、
その折り畳みシートの前記重ね合わせ面を再剥離可能に接着する接着手段と、
が順に装備されたことを特徴とする情報伝達用シートの形成設備である。
【００１１】
請求項２記載の発明は、予め重ね合わせ面の少なくとも一方の面に接着剤層を有するシートを折り畳む折り畳み手段と、
前記重ね合わせ面に親展または非親展情報を書き込む情報書き込み手段と、
その折り畳みシートの前記重ね合わせ面を再剥離可能に接着する接着手段と、
が順に装備されたことを特徴とする情報伝達用シートの形成設備である。
【００１２】
請求項３記載の発明は、前記情報の書き込みは、感熱記録、感圧記録、インクジェット記録および電子写真記録の方式群から選択された請求項１または２記載の情報伝達用シートの形成設備である。
【００１３】
請求項４記載の発明は、予め重ね合わせ面の少なくとも一方の面に接着剤層を有し、かつ、重ね合わせ面の少なくとも一方の面に物理的外力により発色する発色材料を含有するシートを折り畳む折り畳み手段と、
その折り畳みシートの前記重ね合わせ面を再剥離可能に接着する接着手段と、
重ね合わせ面に対して前記物理的外力を与えて前記発色材料を発色させることにより親展または非親展情報を書き込む情報書き込み手段と、
が順に装備されたことを特徴とする情報伝達用シートの形成設備である。
【００１４】
請求項５記載の発明は、前記シートは連続シートであって、これを枚葉シートに分離して下流の工程に導く、あるいは連続シートのまま導かれたものを接着する前記接着手段の下流側に、連続シートを個別単位シートに分離する分離手段を有する請求項１〜４のいずれか１項記載の情報伝達用シートの形成設備である。
【００１５】
請求項６記載の発明は、前記折り畳み手段は、折り畳んだとき、重ね合わせ余白部を有し、この余白部に、非親展情報および情報伝達の宛先のうち少なくとも一方が前記情報書き込み手段により書き込まれるように構成された請求項１〜５のいずれか１項記載の情報伝達用シートの形成設備である。
【００１６】
請求項７記載の発明は、前記シートは、予め重ね合わせ面の少なくとも一方の面に常態では実質的に接着せず、圧を加えると接着する感圧接着剤層を有し、前記接着手段は、折り畳みシートに前記圧を加えて圧着することにより接着するものである請求項１〜６のいずれか１項記載の情報伝達用シートの形成設備である。
【００１７】
請求項８記載の発明は、前記各手段は、順に一つの設備として装備されたものである情報伝達用シートの形成設備である。
【００１８】
【発明の実施の形態】
以下、本発明に係る情報伝達用シートの形成設備について図面に示す実施の形態を参照しながらさらに詳述する。
【００１９】
（第１の実施の形態）
図１は第１の実施の形態例を示したもので、図４に示すように、予め重ね合わせ面の少なくとも一方の面に常態では実質的に接着せず、圧を加えると接着する感圧接着剤層２を有するシート１が、たとえばロールの形態で、ファクシミリを兼用した形成設備１０に設けられ、繰り出しロール３４，３４により排出口３５方向に繰り出し可能とされている。
【００２０】
一方、第１形成設備１０は、送信ファクシミリ機能を備えており、原稿トレイ１３から供給される原稿シート１４は、送りロール１５群を通して排出トレイ１６に向かって排出される過程で、レーザ光照射装置１７からレーザ光が照射され、反射光をミラー１８を通してＣＣＤ素子１９に導き、画像信号として読み取り、これを制御ユニット２０に設けられた通信手段を介して、相手先に電話回線を通して送信するようになっている。
【００２１】
必要により受信系も設けられている。すなわち、外部から送信され電話回線を通して受信した信号は、制御ユニット２０により、たとえばロール状にストックされたストックシート２１に対して、出力手段２２、たとえばサーマルヘッドやレーザプリンターにより記録されるようになっている。記録済のシートは貯留トレイ２３に貯留される。
【００２２】
他方、かかるファクシミリ機能のほか、本発明においては、前記シート１に対して、前記重ね合わせ面に情報を書き込む情報書き込み手段３０が設けられている。この情報書き込み手段３０としては、感熱記録、感圧記録、インクジェット記録、電子写真記録などの書き込み手段を用いることができる。この情報書き込み手段３０は、外部から電話回線を通して送信された信号が、親展情報であるとき、その情報をシート１に対して記録するものである。
【００２３】
したがって、親展情報と非親展情報とを区別し、親展情報の場合には、情報書き込み手段３０に書き込み指令信号を、非親展情報の場合には、出力手段２２に出力指令信号を出力するようにするための、外部からの受信信号の分別手段を本発明に係る第１形成設備１０の適宜の部位に設けることが望ましい。
【００２４】
情報書き込み手段３０の下流には、情報の書き込みがなされたシート１を折り畳む折り畳み手段３１と、その折り畳みシートに圧力を加えて前記重ね合わせ面を接着する接着手段３２と、シート１を個別の単位シート１Ａに分離する分離手段３３が順に設けられている。
【００２５】
折り畳み手段３１としては、たとえば図３に示すようにセーラー３１Ａが用いられる。このセーラー３１Ａは、ガイド部３１ａと折り畳み規制部３１ｂとを有し、連続シート１を搬送する過程で、その供給方向線に沿って折り畳むものである。この場合、折り畳んだとき、重ね余白部１ａが形成されるのが望ましい。この重ね余白部１ａには、図５に示すように、宛先や送信元などの通信情報１ｂが記録され、確実に宛先に対して親展ものとして送り届けることができる。
【００２６】
親展情報を記録され、折り畳まれたシートは、接着手段３２により重ね合わせ面相互が圧着され、前記感圧接着剤により再剥離可能に接着される。接着手段３２は、図１に示すように、圧着ロールなどのほか、平面プレス方式などの適宜の手段が用いられる。
【００２７】
シート１が連続シートである場合、個別の単位シート１Ａに分離する分離手段３３を設けることができ、この分離手段３３としては、周囲に切断刃を有する回転ロール方式などのほか、図１に示すように、ギロチン方式の切断装置を用いることができる。
【００２８】
かくして、親展情報が記録された単位シート１Ａは、その余白部１ａに記録された通信情報１ｂの宛先に従って送り届けられる。受け取った者は、単位シート１Ａの重ね合わせ面を見開き、そこに記録された情報を読み取る。したがって、確実に親展として情報を伝達できる。
【００２９】
本発明においては、シート１を折り畳むようにしてある。このシートは、前記例のように、シートの供給方向線に沿って折り畳むほか、シートの供給方向と直交する方向に折り畳むこともできる。たとえば、図６に示すように、枚葉シート５０を第１ガイド５１を通して先端側を第２ガイド５２に送り込み、この状態で両ガイド５１，５２間に位置させた押出し板５３を移動手段５４により押出し、折り畳み個所をニップロール５５，５５によりニップして折るものである。ニップロール５５，５５は、押出し板５３の押出し完了を電気的に検知して、離間状態から押出し板５３の後退を待って圧着させる動作を行わせることができる。折り畳みは、２つ折りのほか、３重折り以上の態様を可能である。
【００３０】
（第２の実施の形態）
図２は第２の実施の形態例を示したもので、第１の実施の形態と異なるのは、折り畳み手段３１により折り畳み、そのシートに圧力を加えて前記重ね合わせ面を接着手段３２により接着した後、情報書き込み手段３０により情報の書き込みを行うようにした点であり、その他の構成は基本的に同一である。
【００３１】
この例は、シート１を折り畳んだ後、情報記録するものであるために、たとえば感熱記録方式が採用される。このために、シートとしては、予め重ね合わせ面の少なくとも一方の面に常態では実質的に接着せず、圧を加えると接着する感圧接着剤層を有し、かつ、重ね合わせ面の前記一方の面または他方の面、もしくは両者の面のうち、少なくとも一方の面に物理的外力により発色する発色材料を含有するシートが用いられる。
【００３２】
また、前記重ね合わせ面に対して前記物理的外力を与えて前記発色材料を発色させることにより情報を書き込む情報書き込み手段３０としては、サーマルヘッドが用いられる。この場合、発色材料を有する面の裏面に情報書き込み手段３０を設けるのが望ましいけれども、既に接着手段３２により重ね合わせ面は圧着されているので、他方の面に情報書き込み手段３０を設けてもよい。
【００３３】
（他の実施の形態）
他方、情報書き込み手段３０を、非親展情報を記録する前述の出力手段２２と兼用したものとすることもできる。この親展情報書き込み手段を非親展情報を記録する出力手段２２と兼用する態様は、配置位置を変更することで第１の実施の形態にも適用することができる。
【００３４】
また、図示してないが、折り畳み手段３１により折り畳み、次いで、情報書き込み手段３０により情報の書き込み、その後、そのシートに圧力を加えて前記重ね合わせ面を接着手段３２により接着することもできる。ただし、この場合には、発色材料を有する面の裏面に情報書き込み手段３０を設けて、熱伝達を図ることが重要である。
【００３５】
発色材料としては、感熱色素のほか、感圧色素でもよい。記録または書き込み方式としては、種々の方式を用いることができ、たとえば電子写真記録、静電記録、放電破壊記録、電解記録、感熱記録、感圧記録、インパクト記録、インクジェット記録、熱転写記録などを挙げることができる。
【００３６】
他方、前述の例においては、送信機能も備えたファクシミリ機能を備えた装置として形成したものであるが、送信機能を備えない受信専用のファクシミリ機能を備えた装置とすることもできる。この場合には、当然に送信系は不要である。
【００３７】
また、外部からの受信信号に基づいて親展情報を書き込むほか、自分のコンピュータに付属させて、その出力信号に基づいて、親展情報を記録し、個別単位シート化する装置として構成することもできる。この場合、コンピュータに付属させるプリンターに、本発明に従う親展化手段を組み込むことができる。
【００３８】
他方、設備１０の外部に分離手段を設けるほか、折り畳み・圧着・情報書き込みを行った連続シートのままで設備１０から排出したものを、受取人が鋏などで切り取って持ち帰るものでもよい。連続シートに対する分離手段の配置位置は、適宜選択できる。たとえば、連続シートを分離した後に、前記手段に導くものでもよい。分離手段による分離は、流れ方向に横断して分離するもののほか、流れ方向に沿って分離するものでもよい。したがって、その分離手段によって各種のサイズのシートを得ることができる。
【００３９】
さらに、前述の例においては、シート１に常態では実質的に接着せず、圧を加えると接着する感圧接着剤層２を形成し、したがって再剥離可能に接着させるために、圧を加えて圧着することにより接着してあるが、シート１に感熱接着剤を設けて熱を加えて接着する態様、シート１に再湿接着剤を設けて水分を与えて接着させる態様などを採ることができる。
【００４０】
なお、本発明は、各手段が順に装備されている限り、前述例のように一つの設備内に装備されているほか、各手段または一部の手段が分離してタンデムに配置され、実質的に連続しているものでもよい。
【００４１】
（用いる材料について）
シートとしては、アート紙、コート紙、軽量コート紙等のいわゆる塗工紙を用い、塗工面上に接着剤層を設けたシートでもよい。さらに、合成紙やプラスチックフィルムであってもよい。
【００４２】
本発明において、感圧接着剤の基剤としては、ラテックス、具体的には天然ゴム系、合成ゴム系または合成樹脂系等の従来通常の感圧接着剤に使用されているものの中から任意に選択して用いることができるが、特に、天然ゴムを無硫黄加硫し、メタアクリル酸メチルと混合した天然ゴムラテックス、天然ゴムにメタアクリル酸メチルをグラフト重合させて得られた天然ゴムラテックス、アクリル変性ゴムラテックス、ゴムラテックスと保護コロイド系アクリル共重合エマルジョンとの混合物が耐ブロッキング性、耐経時劣化性、インク着肉性等の点で好適である。
【００４３】
本発明における感圧接着剤層およびまたは後述の表面層（この表面層も本発明の感圧接着剤層として機能する）中には、感圧接着剤層の接着力を抑制し、あるいは表面に凹凸を形成するための微細粒子を含有させる。この微細粒子としては、定形微細粒子およびまたは不定形な微細粒子を使用できる。前者の定形微細粒子としては、従来一般的に用いられている微細粒子の全てを用いることができる。具体的には、一次または二次凝集体を形成しているカルサイト系沈降性炭酸カルシウム、一次または二次凝集体を形成しているアラゴナイト系沈降性炭酸カルシウム、スチレンビーズ、穀物澱粉、変性澱粉、合成微粒子シリカ、通常のカルシウムや、亜鉛、マグネシウム、アルミニウムもしくはチタン等の金属の酸化物、水酸化物、炭酸塩もしくは珪酸塩、またはこれらの混合物などが挙げられる。ポーラスな二次凝集体からなるホワイトカーボンも用いることができる。
【００４４】
後者の不定形な微細粒子としては、パルプセルロースパウダーのような天然繊維や、他の動・植物繊維、または化学繊維をフィブリル化した粒子を用いることができる。パルプセルロースパウダーを使用する場合、これ自体の顕微鏡による観察では２０〜１００μm の不定形な凹凸を示し、基材の表面粗さを調整して塗工後の表面粗さが０．４〜２５μm 程度の凹凸をランダムに形成することで得られる。かかる不定形な微細粒子を感圧接着剤層中に含有させたプリント用シートにおいては、その表面にフィブリル化された微細な繊維状の突起を含み、たとえば感圧接着剤層表面にまたは表面層の表面に不定形な編み目構造を呈する。
【００４５】
この種の微細粒子は、感圧接着剤層に対して１０％以上、好適には２０〜１００％含有されるのが望ましい。
【００４６】
感圧接着剤の塗工に際しては、感圧接着剤の基剤を溶剤に溶解するとともに、定形微細粒子およびまたは不定形な微細粒子を混合攪拌し、塗工機や印刷機により基材に塗工する。この塗工方法としては、エアーナイフコーター、ブレードコーター、カーテンコーター、バーコーター、フレキソ印刷、スクリーン印刷等の塗工・印刷方式による塗工が好適である。
【００４７】
また、シートにおいて、シート基材に感圧接着剤層を設けるほか、１層以上の表面層を設けることができる。この表面層としては、２層以上設けることもできる。表面層は、疑似接着性シートとしての機能をより高める機能剤の１種または複数種をもって形成する層である。
【００４８】
この機能剤としては、多くのものを挙げることができる。たとえば、代表的には、前記の不定形な微細粒子、酸化防止剤、紫外線吸収防止剤、粘着付与剤、滑剤、顔料、アンチスリップ剤、緩衝剤、帯電防止剤、界面活性剤、増粘剤、消泡剤、離型剤、耐ブロッキング防止剤、プリンタートナー定着剤等がある。
【００４９】
感圧接着剤層の塗工が終了した段階または表面層を設ける場合にはその塗工が終了した段階で、その表面を約１〜１０kg/cm2で加圧し、表面の過度の突出を平坦にし、好適には３０〜５μm の表面粗さに調整するのが好ましい。
【００５０】
本発明におけるシートの接着力としては、用途に応じて感圧接着剤の基剤の種類、微細粒子の種類、添加剤の種類、あるいはこれらの配合割合を選択することで調整できるが、好適には、市販のシーラーで圧着した際に、２５mm幅での剥離強度が２５ｇ以上が好ましい。
【００５１】
各表面層の各層の厚みは２ミクロン以下が望ましく、数層設ける場合には、総厚で５ミクロン以下が望ましく、それ以上になると接着強度が著しく落ちる場合があり、この場合は基材の表面粗さを増したり、より強い接着力を有する感圧接着剤層を設けたりする必要がある。
【００５２】
【発明の効果】
以上のとおり、本発明によれば、情報伝達機器を利用しながら、親展性を示すシートを出力させることができるなどの利点がもたらされる。
【図面の簡単な説明】
【図１】
第１の実施の形態を示す概要図である。
【図２】
第２の実施の形態を示す概要図である。
【図３】
折り畳み手段例の斜視図である。
【図４】
折り畳み状態の層構成を示す断面図である。
【図５】
個別単位シート例の斜視図である。
【図６】
態様を異にする折り畳み手段例を示したもので、（Ａ）は第１段階、（Ｂ）は第２段階を示す。
【符号の説明】
１…シート、１Ａ…個別単位シート、１ａ…重ね余白部、１ｂ…通信情報、２…感圧接着剤層、１０…情報伝達用シートの形成設備、１９…ＣＣＤ素子、２０…制御ユニット、２１…ストックシート、２２…出力手段、３０…情報書き込み手段、３１…折り畳み手段、３２…接着手段、３３…分離手段。
【手続補正２】
【補正対象書類名】図面
【補正対象項目名】図１
【補正方法】変更
【補正の内容】
【図１】
1999055452.tif 000001
【手続補正３】
【補正対象書類名】図面
【補正対象項目名】図２
【補正方法】変更
【補正の内容】
【図２】
1999055452.tif 000002